(57)【要約】【課題】画像情報に含まれる光の３原色にかかわる色情報を輝度情報に変換する場合に、当該色情報にかかわる色の濃淡を再現するとともに当該色情報にかかわる色の相違を再現することのできる画像処理装置を提供する。【解決手段】画像処理装置は、光の３原色を表現する色空間で表現される色情報を輝度情報に変換するための基準の変換情報に対応し該変換情報に含まれる方向ベクトル情報とは異なる方向ベクトル情報を含む所定の変換情報を基に、前記色情報を輝度情報に変換する輝度変換手段、を備える。【選択図】図１
2008252778.tif 000002
【特許請求の範囲】
【請求項１】
光の３原色を表現する色空間で表現される色情報を輝度情報に変換するための基準の変換情報に対応し該変換情報に含まれる方向ベクトル情報とは異なる方向ベクトル情報を含む所定の変換情報を基に、前記色情報を輝度情報に変換する輝度変換手段、
を有することを特徴とする画像処理装置。
【請求項２】
前記基準の変換情報にかかわる第１の方向ベクトルと前記所定の変換情報にかかわる第２の方向ベクトルとのなす角の角度と、当該角度が維持された状態で当該第２の方向ベクトルを基準位置から所定の位置まで回転させたときの回転角度とを基に、前記所定の変換情報に含まれ、赤成分の情報にかかわる係数、緑成分の情報にかかわる係数および青成分の情報にかかわる係数を算出する係数算出手段、を更に備える、
ことを特徴とする請求項１記載の画像処理装置。
【請求項３】
前記第１の方向ベクトルと前記第２の方向ベクトルとのなす角の所望の角度を示す角度情報を取得する角度情報取得手段、を更に備え、
前記係数算出手段は、
前記角度情報取得手段によって取得された角度情報と前記回転角度を示す回転角度情報とを基に、前記所定の変換情報に含まれ、前記赤成分の情報にかかわる係数、前記緑成分の情報にかかわる係数および前記青成分の情報にかかわる係数を算出する、
ことを特徴とする請求項２記載の画像処理装置。
【請求項４】
前記色空間で表現される画像情報の中の所望の色の属する色相の濃度に関する濃淡情報を取得する濃淡情報取得手段、を更に備え、
前記係数算出手段は、
前記濃淡情報取得手段によって取得された濃淡情報に対応する前記回転角度情報と前記角度を示す角度情報とを基に、前記所定の変換情報に含まれ、前記赤成分の情報にかかわる係数、前記緑成分の情報にかかわる係数および前記青成分の情報にかかわる係数を算出する、
ことを特徴とする請求項２または３記載の画像処理装置。
【請求項５】
前記係数算出手段は、
前記色空間で表現される画像情報に基づく画像が複数の構成要素を有しているときは、構成要素の種類ごとに、前記赤成分の情報にかかわる係数、前記緑成分の情報にかかわる係数および前記青成分の情報にかかわる係数を算出する、
ことを特徴とする請求項２〜４の何れか一項に記載の画像処理装置。
【請求項６】
前記構成要素の種類は、
文字オブジェクト、ベクトルオブジェクトおよびイメージオブジェクトのうち少なくとも２つのオブジェクトであり、
前記文字オブジェクトおよび前記ベクトルオブジェクトに対しては前記所定の変換情報が適用され、かつ色情報から輝度情報へ変換された場合に、前記文字オブジェクトにかかわる変換処理後の濃度と前記ベクトルオブジェクトにかかわる変換処理後の濃度とが異なるように前記角度情報および回転角度情報が設定され、
一方、前記イメージオブジェクトに対しては前記基準の変換情報が適用される、
ことを特徴とする請求項５記載の画像処理装置。
【請求項７】
請求項２から請求項６の何れか一項に記載の画像処理装置と、
前記第１の方向ベクトルと前記第２の方向ベクトルとのなす角の所望の角度を示す角度情報を設定する角度情報設定手段と、
前記色空間で表現される画像情報の中の所望の色の属する色相の濃度に関する濃淡情報を設定する濃淡情報設定手段と、
を有することを特徴とする画像形成装置。
【請求項８】
前記角度情報設定手段は、
ユーザによって操作され、当該ユーザに対し提供されるユーザインタフェースに対して前記角度情報を設定する入力装置、または印刷装置に対応するプリンタドライバにより当該ユーザに対し提供されるユーザインタフェースに対して前記角度情報を設定する入力装置である、
ことを特徴とする請求項７記載の画像形成装置。
【請求項９】
前記濃淡情報設定手段は、
ユーザによって操作され、当該ユーザに対し提供されるユーザインタフェースに対して前記色相および当該色相にかかわる前記濃淡情報を設定する入力装置、または印刷装置に対応するプリンタドライバにより当該ユーザに対し提供されるユーザインタフェースに対して前記色相および当該色相にかかわる前記濃淡情報を設定する入力装置である、
ことを特徴とする請求項７記載の画像形成装置。
【請求項１０】
請求項７から請求項９の何れか一項に記載の画像形成装置と該画像形成装置に向けて画像情報を出力する処理装置とが通信回線を介して接続され、前記画像形成装置は取得した画像情報に対する画像形成処理を実施することを特徴とする画像形成システム。
【請求項１１】
光の３原色を表現する色空間で表現される色情報を輝度情報に変換するための基準の変換情報に対応し該変換情報に含まれる方向ベクトル情報とは異なる方向ベクトル情報を含む所定の変換情報を基に、前記色情報を輝度情報に変換する輝度変換処理過程、
をコンピュータに実行させることを特徴とする画像処理プログラム。
【発明の詳細な説明】
【技術分野】
【０００１】
本発明は、画像処理装置、画像形成装置、画像形成システムおよび画像処理プログラムに関する。
【背景技術】
【０００２】
パソコンなどの文書作成装置上で作成される文書にはカラーの文書が普及しつつある。例えば、プレゼンテーション用のドキュメント（文書）においては、色塗りをした背景の上に、この背景色とは異なる色で文字が表記されることがある。
【０００３】
カラーで作成されたドキュメントを印刷する場合は、そのカラー情報をそのまま印刷することができるカラープリンタが適している。しかし実際には、事務所、会社等に導入されているプリンタは白黒プリンタが依然として多数であることと、またカラーの印刷は白黒（モノクロ）の印刷と比較して印刷時間（処理時間）を多く必要とし、しかも印刷コストも高いこと、などの理由により、カラーのドキュメントは、白黒プリンタ、あるいはカラープリンタの白黒出力モードで印刷される場合がある。
【０００４】
カラーデータは、赤（レッド：Ｒ）、緑（グリーン：Ｇ）、青（ブルー：Ｂ）により構成されるＲＧＢ信号である。このカラーデータを白黒出力する場合は、色の情報は当然失われ、濃淡の情報のみが印刷結果に反映される。
【０００５】
上記ＲＧＢ信号つまり、Ｒ、Ｇ、Ｂの各色のデータから輝度Ｉへ変換する変換式は、次の数１で表される。
（数１）
【０００６】
Ｉ＝０．３Ｒ＋０．６Ｇ＋０．１Ｂ
【０００７】
ただし、Ｒは赤成分の値、Ｇは緑成分の値、Ｂは青成分の値である。
【０００８】
すなわち、この数１の変換式で示される輝度Ｉは、Ｒ成分、Ｇ成分、Ｂ成分のそれぞれの値に明るさへの寄与分の重みを付け、それらの値を総和した形式となっている。
【０００９】
そして、Ｒ、Ｇ、Ｂの各色のデータから輝度へ変換されたデータに対して、ハーフトーン処理が実施され、さらに白黒の出力処理が実施される。
【００１０】
ところで、上記数１から明らかなように、Ｒ、Ｇ、Ｂの各色のデータがそれぞれ異なっていても、同一の輝度値に変換されることがある。
【００１１】
上記数１の輝度Ｉは、図１２に示すように、ＲＧＢ色空間における方向ベクトルがα（０．３，０．６，０．１）の平面とみなすことができる。この平面上の色は全て、この平面とグレー軸との交点Ｓ（Ｉ，Ｉ，Ｉ）のグレーに変換される。例えば、異なる色相および彩度を有するものの輝度が同じ色Ｔおよび色Ｕは、同一のグレー色Ｓとなる。
【００１２】
そして、図１３（a）に示すように、背景色が色Ｔの背景の上に文字色が色Ｕの文字が配置された文書を白黒印刷した場合では、図１３（ｂ）に示すように、背景と文字とが同一のグレー色Ｓで印刷される。
【００１３】
なお、カラーデータを基に白黒印刷を行う装置としては、例えば特許文献１および特許文献２が知られている。
【特許文献１】特開２００５−１３５３２１号公報
【特許文献２】特開２００１−０１６４５９号公報
【発明の開示】
【発明が解決しようとする課題】
【００１４】
本発明は、画像情報に含まれる光の３原色にかかわる色情報を輝度情報に変換する場合に、当該色情報にかかわる色の濃淡を再現するとともに当該色情報にかかわる色の相違を再現することのできる画像処理装置および画像処理プログラムを提供することを目的とする。
【００１５】
また、本発明は、光の３原色にかかわる色情報を有する画像情報を白黒印刷する場合であっても、当該画像情報にかかわる色の濃淡を再現するとともに当該画像情報にかかわる色の相違を反映した印刷処理の結果を得ることのできる画像形成装置および画像形成システムを提供することを目的とする。
【課題を解決するための手段】
【００１６】
上記課題を解決するため、請求項１に記載の本発明の画像処理装置は、光の３原色を表現する色空間で表現される色情報を輝度情報に変換するための基準の変換情報に対応し該変換情報に含まれる方向ベクトル情報とは異なる方向ベクトル情報を含む所定の変換情報を基に、前記色情報を輝度情報に変換する輝度変換手段、を有することを特徴とする。
【００１７】
請求項２に記載の発明は、上記請求項１に記載の発明において、前記基準の変換情報にかかわる第１の方向ベクトルと前記所定の変換情報にかかわる第２の方向ベクトルとのなす角の角度と、当該角度が維持された状態で当該第２の方向ベクトルを基準位置から所定の位置まで回転させたときの回転角度とを基に、前記所定の変換情報に含まれ、赤成分の情報にかかわる係数、緑成分の情報にかかわる係数および青成分の情報にかかわる係数を算出する係数算出手段、を更に備える、ことを特徴とする。
【００１８】
請求項３に記載の発明は、上記請求項２に記載の発明において、前記第１の方向ベクトルと前記第２の方向ベクトルとのなす角の所望の角度を示す角度情報を取得する角度情報取得手段、を更に備え、前記係数算出手段は、前記角度情報取得手段によって取得された角度情報と前記回転角度を示す回転角度情報とを基に、前記所定の変換情報に含まれ、前記赤成分の情報にかかわる係数、前記緑成分の情報にかかわる係数および前記青成分の情報にかかわる係数を算出する、ことを特徴とする。
【００１９】
請求項４に記載の発明は、上記請求項２または３に記載の発明において、前記色空間で表現される画像情報の中の所望の色の属する色相の濃度に関する濃淡情報を取得する濃淡情報取得手段、を更に備え、前記係数算出手段は、前記濃淡情報取得手段によって取得された濃淡情報に対応する前記回転角度情報と前記角度を示す角度情報とを基に、前記所定の変換情報に含まれ、前記赤成分の情報にかかわる係数、前記緑成分の情報にかかわる係数および前記青成分の情報にかかわる係数を算出する、ことを特徴とする。
【００２０】
請求項５に記載の発明は、上記請求項２〜４の何れか一項に記載の発明において、前記係数算出手段は、前記色空間で表現される画像情報に基づく画像が複数の構成要素を有しているときは、構成要素の種類ごとに、前記赤成分の情報にかかわる係数、前記緑成分の情報にかかわる係数および前記青成分の情報にかかわる係数を算出する、ことを特徴とする。
【００２１】
請求項６に記載の発明は、上記請求項５に記載の発明において、前記構成要素の種類は、文字オブジェクト、ベクトルオブジェクトおよびイメージオブジェクトのうち少なくとも２つのオブジェクトであり、前記文字オブジェクトおよび前記ベクトルオブジェクトに対しては前記所定の変換情報が適用され、かつ色情報から輝度情報へ変換された場合に、前記文字オブジェクトにかかわる変換処理後の濃度と前記ベクトルオブジェクトにかかわる変換処理後の濃度とが異なるように前記角度情報および回転角度情報が設定され、一方、前記イメージオブジェクトに対しては前記基準の変換情報が適用される、ことを特徴とする。
【００２２】
上記課題を解決するため、請求項７に記載の本発明の画像処理装置は、請求項２から請求項６の何れか一項に記載の画像処理装置と、前記第１の方向ベクトルと前記第２の方向ベクトルとのなす角の所望の角度を示す角度情報を設定する角度情報設定手段と、前記色空間で表現される画像情報の中の所望の色の属する色相の濃度に関する濃淡情報を設定する濃淡情報設定手段と、を有することを特徴とする。
【００２３】
請求項８に記載の発明は、上記請求項７に記載の発明において、前記角度情報設定手段は、ユーザによって操作され、当該ユーザに対し提供されるユーザインタフェースに対して前記角度情報を設定する入力装置、または印刷装置に対応するプリンタドライバにより当該ユーザに対し提供されるユーザインタフェースに対して前記角度情報を設定する入力装置である、ことを特徴とする。
【００２４】
請求項９に記載の発明は、上記請求項７に記載の発明において、前記濃淡情報設定手段は、ユーザによって操作され、当該ユーザに対し提供されるユーザインタフェースに対して前記色相および当該色相にかかわる前記濃淡情報を設定する入力装置、または印刷装置に対応するプリンタドライバにより当該ユーザに対し提供されるユーザインタフェースに対して前記色相および当該色相にかかわる前記濃淡情報を設定する入力装置である、ことを特徴とする。
【００２５】
上記課題を解決するため、請求項１０に記載の本発明の画像処理システムは、請求項７から請求項９の何れか一項に記載の画像形成装置と該画像形成装置に向けて画像情報を出力する処理装置とが通信回線を介して接続され、前記画像形成装置は取得した画像情報に対する画像形成処理を実施することを特徴とする。
【００２６】
上記課題を解決するため、請求項１１に記載の本発明の画像処理プログラムは、光の３原色を表現する色空間で表現される色情報を輝度情報に変換するための基準の変換情報に対応し該変換情報に含まれる方向ベクトル情報とは異なる方向ベクトル情報を含む所定の変換情報を基に、前記色情報を輝度情報に変換する輝度変換処理過程、をコンピュータに実行させることを特徴とする。
【発明の効果】
【００２７】
請求項１記載の発明によれば、画像情報に含まれる光の３原色にかかわる色情報を輝度情報に変換する場合に、当該色情報にかかわる色の濃淡を再現するとともに当該色情報にかかわる色の相違を再現することができる。
【００２８】
請求項２記載の発明によれば、第１の方向ベクトルと第２の方向ベクトルとのなす角の角度と、当該第２の方向ベクトルにかかわる回転角度とを基に、所定の変換情報に含まれ、赤成分の情報にかかわる係数、緑成分の情報にかかわる係数および青成分の情報にかかわる係数を算出することができる。
【００２９】
請求項３記載の発明によれば、取得された角度情報と回転角度情報とを基に、所定の変換情報に含まれ、赤成分の情報にかかわる係数、緑成分の情報にかかわる係数および青成分の情報にかかわる係数を算出することができる。
【００３０】
請求項４記載の発明によれば、取得された濃淡情報に対応する回転角度情報と角度情報とを基に、所定の変換情報に含まれ、赤成分の情報にかかわる係数、緑成分の情報にかかわる係数および青成分の情報にかかわる係数を算出することができる。
【００３１】
請求項５記載の発明によれば、画像が複数の構成要素を有しているときは、構成要素の種類ごとに、赤成分の情報にかかわる係数、緑成分の情報にかかわる係数および青成分の情報にかかわる係数を算出することができる。
【００３２】
請求項６記載の発明によれば、文字オブジェクトおよび前記ベクトルオブジェクトについては、所定の変換情報に基づき赤成分の情報にかかわる係数、緑成分の情報にかかわる係数および青成分の情報にかかわる係数を算出することができ、また、イメージオブジェクトについては、基準の変換情報に基づき赤成分の情報にかかわる係数、緑成分の情報にかかわる係数および青成分の情報にかかわる係数を算出することができる。
【００３３】
請求項７記載の発明によれば、光の３原色にかかわる色情報を有する画像情報を白黒印刷する場合であっても、当該画像情報にかかわる色の濃淡を再現するとともに当該画像情報にかかわる色の相違を反映した印刷処理の結果を得ることができる。
【００３４】
請求項８記載の発明によれば、ユーザが入力装置を操作して第１の方向ベクトルと第２の方向ベクトルとのなす角の角度情報を設定することができる。
【００３５】
請求項９記載の発明によれば、ユーザが入力装置を操作して色空間で表現される画像情報の中の所望の色の属する色相および当該色相にかかわる濃淡情報を設定することができる。
【００３６】
請求項１０記載の発明によれば、光の３原色にかかわる色情報を有する画像情報を白黒印刷する場合であっても、当該画像情報にかかわる色の濃淡を再現するとともに当該画像情報にかかわる色の相違を反映した印刷処理の結果を得ることができる。
【００３７】
請求項１１記載の発明によれば、画像情報に含まれる光の３原色にかかわる色情報を輝度情報に変換する場合に、当該色情報にかかわる色の濃淡を再現させるとともに当該色情報にかかわる色の相違を明確に再現させるソフトウェアを提供することができる。
【発明を実施するための最良の形態】
【００３８】
以下、本発明の実施の形態を図面に基づいて詳細に説明する。なお、実施の形態を説明するための図面において同一の構成要素には原則として同一の符号を付し、その繰り返しの説明は省略する。
【００３９】
（実施の形態１）
【００４０】
図１は、本発明の実施の形態１に係る画像処理装置の機能構成を示している。
【００４１】
図１に示すように、画像処理装置１００は、データ取得部１１０、輝度変換部１２０、係数求め部１３０およびスクリーン処理部１４０を有するコントローラ１０１を備えている。
【００４２】
データ取得部１１０は、外部から入力された印刷データ（例えばＰＤＬデータ）を取得する。この印刷データは、ＲＧＢ信号からなるデータ、すなわち赤成分（Ｒ）の情報、緑成分（Ｇ）の情報および青成分（Ｂ）の情報の各色情報を有するカラー画像データ（画像情報）である。
【００４３】
輝度変換部１２０は、データ取得部１１０によって取得されたカラー画像データを輝度信号に変換する。
【００４４】
すなわち、輝度変換部１２０は、光の３原色を表現する色空間で表現される色情報を輝度情報に変換するための基準の変換情報に対応し該変換情報に含まれる方向ベクトル情報とは異なる方向ベクトル情報を含む所定の変換情報を基に、前記色情報を輝度情報に変換する。
【００４５】
本願明細書では、光の３原色を表現する色空間とはＲＧＢ色空間を意味する。また、ＲＧＢ色空間で表現される色情報とは、赤（Ｒ）、緑（Ｇ）、青（Ｂ）の各色のデータを意味する。さらに、上記基準の変換情報とは次の数２の変換式を意味し、上記所定の変換情報とは次の数３の変換式を意味する。
（数２）
【００４６】
Ｉ＝αｒ＊Ｒ＋αｇ＊Ｇ＋αｂ＊Ｂ
【００４７】
ただし、Ｒは赤成分の値、Ｇは緑成分の値、Ｂは青成分の値、αｒは赤成分の情報にかかわる基準の係数、αｇは緑成分の情報にかかわる基準の係数、αｂは青成分の情報にかかわる基準の係数である。
【００４８】
この数２において、αｒ＝０．３、αｇ＝０．６、αｂ＝０．１とした場合、数２の変換式は、上述した数１の変換式と同じになる。
（数３）
【００４９】
Ｉ＝βｒ＊Ｒ＋βｇ＊Ｇ＋βｂ＊Ｂ
【００５０】
ただし、Ｒは赤成分の値、Ｇは緑成分の値、Ｂは青成分の値、βｒは赤成分の情報にかかわる係数、βｇは緑成分の情報にかかわる係数、βｂは青成分の情報にかかわる係数である。
【００５１】
上記数３の変換式で示される輝度Ｉでは、ＲＧＢ色空間における方向ベクトルがβ（βｒ，βｇ，βｂ）の平面とみなすことができる。この平面上の色は全て、この平面とグレー軸との交点Ｓ（Ｉ，Ｉ，Ｉ）に変換される。
【００５２】
係数求め部１３０は、角度情報取得部１３１ａおよび濃淡情報取得部１３１ｂを有する係数算出部１３１を備え、輝度変換部１２０によって実行される輝度変換処理にかかわる所定の変換情報に含まれる係数を、所定の条件に従って求める。
【００５３】
すなわち、係数算出部１３１は、図２に示すように、上記基準の変換情報（数２参照）にかかわる第１の方向ベクトルαと所定の変換情報（数３参照）にかかわる第２の方向ベクトルβとのなす角の角度σと、当該角度σが維持された状態で当該第２の方向ベクトルβを基準位置から所定の位置まで回転させたときの回転角度τとを基に、所定の変換情報に含まれ、赤成分の情報にかかわる係数βｒ、緑成分の情報にかかわる係数βｇおよび青成分の情報にかかわる係数βｂを算出する。
【００５４】
具体的には、角度情報取得部１３１ａが、第１の方向ベクトルα＝方向ベクトル（αｒ，αｇ，αｂ）と第２の方向ベクトルβ＝方向ベクトル（βｒ，βｇ，βｂ）とのなす角の所望の角度σを示す角度情報を取得するとともに、濃淡情報取得部１３１ｂがＲＧＢ色空間で表現される画像情報（カラー画像データ）の中の所望の色の属する色相の濃度に関する濃淡情報を取得する。
【００５５】
ここで、第１の方向ベクトルα＝方向ベクトル（αｒ，αｇ，αｂ）は、基準の変換情報（数２の変換式）に含まれる方向ベクトル情報を意味し、第２の方向ベクトルβ＝方向ベクトル（βｒ，βｇ，βｂ）は、所定の変換情報（数３の変換式）に含まれる方向ベクトル情報を意味する。
【００５６】
これらの角度情報および濃淡情報は外部から与えられるものであり、これら各情報に対応する値は、ユーザ（利用者）によって、例えば画像形成装置に備えられる操作パネル部のユーザインタフェース、あるいは画像情報を印刷要求する処理装置としてのクライアント装置でのプリンタドライバから提供されるユーザインタフェースを介して設定される。
【００５７】
ところで、方向ベクトルαと方向ベクトルβとの関係を示した図２からは、αとτとを調整することで、ベクトルβのベクトルαからの「ずれの大きさ」と「ずれの方向」を制御することができる、ということが分かる。
【００５８】
係数算出部１３１は、角度情報取得部１３１ａによって取得された角度情報（σ）と濃淡情報取得部１３１ｂによって取得された濃淡情報に対応する回転角度情報（τ）とを基に、所定の変換情報に含まれる係数βｒ、係数βｇおよび係数βｂを算出する。この場合、係数算出部１３１は、次の数４および数５を演算することで、係数βｒ、係数βｇおよび係数βｂを算出する。
【数４】
2008252778.tif 000003
【数５】
2008252778.tif 000004
【００５９】
なお、上記数４および上記数５において、（αｒ，αｇ，αｂ）＝（０．３，０．６，０．１）である。また、σおよびτは、例えば後述する操作パネル部の指示に従って係数算出部１３１によって決定される量（値）である。
【００６０】
さらに、数４および数５において、αｒ、αｇおよびαｂはそれぞれαｒ、αｇおよびαｂを意味し、βｒ、βｇおよびβｂはそれぞれβｒ、βｇおよびβｂを意味する。
【００６１】
このようにして係数算出部１３１によって算出された係数βｒ、係数βｇおよび係数βｂは、輝度変換部１２０に向けて出力される。
【００６２】
再度、図１を参照して説明すると、スクリーン処理部１４０は、輝度変換部１２０によって輝度変換された輝度信号に対してスクリーン処理を実施して印刷データを作成する。この印刷データは画像形成装置のプリンタ部に向けて出力される。
【００６３】
なお、本実施の形態１では、画像処理装置１００において、輝度変換部１２０、係数求め部１３０（係数算出部１３１を含む）およびスクリーン処理部１４０は、それぞれの機能を実現させるためのプログラム（ソフトウェア）、および後述する処理手順（図５照参照）に対応するプログラム（ソフトウェア）を含む所定のプログラム（画像処理プログラム）を、中央演算処理装置やプロセッサなど制御手段が実行することにより実現される。
【００６４】
また、データ取得部１１０は、例えば、データの送受信機能を通信インタフェースなど通信装置で実現される。
【００６５】
図３は、画像処理装置１００を有する画像形成装置の機能構成を示している。
【００６６】
図３に示すように、画像形成装置１０は、上述した画像処理装置１００、プリンタ部１５０および操作パネル部１６０を備えている。
【００６７】
画像処理装置１００は、印刷データに対する印刷要求を発行するクライアント装置から画像形成装置１０に向けて出力された印刷データ（カラー画像データ）を取得し、この取得した印刷データにかかわる色情報を所定の輝度情報に変換する。
【００６８】
プリンタ部１５０は、画像処理装置１００（のスクリーン処理部１４０）からの印刷データに基づいて画像を出力（印刷出力）する。
【００６９】
操作パネル部１６０は、表示情報を表示する表示部と、所定の値の設定、選択肢の中から所望の項目の選択、指令の指示などを行う入力部とを備えている。操作パネル部１６０は、当該操作パネル部１６０が提供するユーザインタフェースに対して実施されたユーザ（利用者）による指示操作に応じた指示情報に基づいて、コントローラ１０１に対して各種の指令を与える。
【００７０】
例えば、操作パネル部１６０は、輝度変換処理において使用され係数βｒ、係数βｇ、係数βｂを求めるための指令をコントローラ１０１に与える。これらの係数βｒ、係数βｇ、係数βｂを求めるための指令は、上記クライアント装置によって実行されるプリンタドライバからの指令であってもよい。
【００７１】
具体的には、ユーザが、操作パネル部１６０を操作して、ユーザインタフェースとしての図４に示すグレー濃度調整設定画面１６１に対して角度情報および濃淡情報を設定すると、これらの設定された角度情報および濃淡情報は、係数βｒ、係数βｇ、係数βｂを求めるべき旨の指令とともに、操作パネル部１６０からコントローラ１０１に向けて出力される。
【００７２】
図４に示す例において、グレーの濃度調整を行う場合は、「グレー濃度調整する」にチェックを入れる。
【００７３】
符号１６２で示される点線で囲まれた部分は、調整レベルの大小を設定するための領域である。この調整レベルの設定値は、ベクトルβとベクトルαとのなす角の角度σ（図２参照）の大小に対応する。例えば、調整レベルの値に対応するバー１６２ａの位置を「弱」（濃度値「０」に対応）から「強」（濃度値「２５５」に対応）の方向に向けて移動させるに従って、ベクトルβとベクトルαとのなす角の角度σが大きくなる。つまり調整レベルの値は角度σに対応している。
【００７４】
係数βｒ＞０、係数βｇ＞０、係数βｂ＞０の関係が成立することが必要なため、角度σは「０≦σ＜０．１６４」の関係が成立する値である。従って、調整レベルに関して、バー１６２ａが最も左側（「弱」）に位置するように設定された場合には角度σ＝０となり、一方、バー１６２ａが最も右側（「強」）に位置するように設定された場合は角度σ＝０．１６４となる。
【００７５】
なお、実施の形態１では、調整レベルのバー１６２ａの位置に対応する調整レベルの値を示す調整レベル値情報が与えられる角度情報取得部１３１ａは、その調整レベル値情報に対応する角度σを認識できるようになっている。
【００７６】
ところで、ベクトルβの傾き方向に応じて、どの色が濃い目に印刷されるかが対応している。そのため、操作パネル部１６０のグレー濃度調整設定画面１６１においては、図４中符号１６３で示される点線で囲まれた６色の項目の中から所望の色の項目をユーザが選択可能になっている。これらの色の選択肢に対するユーザによる選択の結果に応じて、回転角度τの値が規定される。
【００７７】
色の選択肢と回転角度τとの関係の一例を、次の表１に示す。
【表１】
2008252778.tif 000005
【００７８】
例えば、「赤（Ｒ）を濃くする」がチェックされた場合は、回転角度τは、表１から明らかなように「π」となる。
【００７９】
なお、実施の形態１では、６つの色の項目の中の選択された項目を示す項目情報が与えられる濃淡情報取得部１３１ｂは、上記表１で示される６つの色の項目を示す項目情報と回転角度τとの対応関係を予め認識している。
【００８０】
そして、上述したようにユーザによる操作パネル部１６０の操作によって、移動されたバー１６２ａの位置に応じた調整レベルの値（所望の値）を示す調整レベル値情報、色の選択肢の中から選択された所望の項目（色）を示す項目情報が、操作パネル部１６０から画像処理装置１００の係数求め部１３０（の係数算出部１３１）に与えられる。
【００８１】
次に、画像処理装置１００の輝度変換処理について、図５を参照して説明する。
【００８２】
図５は、その輝度変換処理の処理手順を示すフローチャートである。
【００８３】
最初に、ユーザ（利用者）は、図４に示すグレー濃度調整画面１６１において、色の項目の選択肢の中から、所望の色の濃淡を指定すべく（濃淡情報を設定すべく）所望の項目を選択する（チェックを入れる）とともに、調整レベルの値を設定すべく（角度情報を設定すべく）バー１６２ａを所定の位置に移動させ、さらに「ＯＫ」ボタンをクリックしてこの設定内容を確定させる。
【００８４】
画像処理装置１００では、データ取得部１１０がカラー画像データ（印刷データ）を取得し（ステップＳ１０１）、この取得したカラー画像データを輝度変換部１２０へ出力する。
【００８５】
この処理と並行して、係数求め部１３０の係数算出部１３１では、角度情報取得部１３１ａは操作パネル部１３０からの調整レベル値情報つまり角度情報を取得するとともに、濃淡情報取得部１３１ｂは操作パネル部１６０からの項目情報つまり濃淡情報を取得する（ステップＳ１０２）。
【００８６】
また、角度情報取得部１３１ａは取得した角度情報（調整レベルの値）を基に角度σを求めるとともに、濃淡情報取得部１３１ｂは取得した濃淡情報（色の項目情報）を基に回転角度τを求める。角度σは、バー１６２ａの所定の位置つまり調整レベルの値に対応するσ（０≦σ＜０．１６４）となり、一方、回転角度τは、表１の中のチェックされた色の項目に対応するτの値となる。
【００８７】
このようにして角度σおよび回転角度τが求められると、係数算出部１３１は、これらの角度σ（角度情報）および回転角度τ（濃淡情報）を基に、赤成分の色にかかわる係数βｒ、緑成分の色にかかわる係数βｇ、青成分の色にかかわる係数βｂを算出し（ステップＳ１０３）、これらの係数βｒ、係数βｇ、係数βｂを輝度変換部１２０に向けて出力する。
【００８８】
すなわち、係数算出部１３１は、求められた角度σおよび回転角度τと、基準の３つの係数つまり係数αｒ＝０．３、係数αｇ＝０．６および係数αｂ＝０．１とを、上記数３の演算式および上記数４の演算式に代入し、これらの演算式を演算することで、係数βｒ、係数βｇ、係数βｂを算出する。
【００８９】
ここで、σとτがともに値「０」の場合は、（βｒ，βｇ，βｇ）＝（αｒ，αｇ，αｇ）となり、上記数２（上記数１と同等）の変換式を演算した結果と同じ輝度Ｉの輝度値が得られることになる。
【００９０】
そのため、実施の形態１では、図４に示すグレー濃度調整画面１６１において、調整レベルに関してバー１６２ａが最も左側（「弱」）に位置されたとしても、この位置情報に対応するσは値「０」ではなく値「０」より大きい値のデフォルト値「０＜σ＜０．１６４」が採用されるようになっている。
【００９１】
すなわち、実施の形態１では、ＲＧＢ色空間で表現される色情報を輝度情報に変換するための基準の変換情報（数１または数２参照）とは係数の方向ベクトルの方向が異なる所定の変換情報（数３参照）を基に、色情報が輝度情報に変換されるようになっている。
【００９２】
さて、輝度変換部１２０は、データ取得部１１０からの印刷データつまりカラー画像データのうち、処理対象のオブジェクトにかかわる色情報（赤成分の情報、緑成分の情報、青成分の情報）と、係数求め部１３０からの係数βｒ、係数βｇおよび係数βｂとを基に、輝度変換処理を実行する（ステップＳ１０４）。
【００９３】
すなわち、輝度変換部１２０は、処理対象のオブジェクトにかかわる色情報と、係数βｒ、係数βｇおよび係数βｂとを、上記数３の変換式に代入し、この変換式を演算することで、（Ｒ，Ｇ，Ｂ）のデータを輝度Ｉに変換する。
【００９４】
上述したようにして処理対処のオブジェクトに対する輝度変換処理を終了した輝度変換部１２０は、全てのオブジェクトに対する輝度変換処理を終了したか否かを判断し（ステップＳ１０５）、この判断した結果、まだ輝度変換処理すべきオブジェクトが存在する場合には上記ステップＳ１０４に戻り、一方、全てのオブジェクトについて輝度変換処理を終了した場合はこの処理を終了する。
【００９５】
ここで、実施の形態１にかかわる輝度変換の具体例について、図６および図７を参照して説明する。図６はＲＧＢ色空間での色Ｔ、色Ｕおよびこれらの色の輝度変換後の色を説明する図を示し、図７は図６に示した例の要部を示している。
【００９６】
輝度変換においてはベクトルβに垂直な面（例えば図７の三角形の面）が同一の輝度面となるため、図６および図７に示すように、色Ｔおよび色Ｕを輝度変換した後の色は、それぞれグレーＴ’およびグレーＵ’に変換され、互いに異なる輝度値となる。
【００９７】
そのため、背景色が色Ｔの背景の上に文字色が色Ｕの文字が配置されたカラー文書（カラー画像）を白黒印刷した場合では、図８（ａ），（ｂ）に示すように、背景と文字とは異なる濃度のグレー色で印刷される。
【００９８】
図８（ａ）に示す例は、図４に示したグレー濃度調整画面１６１における色の項目の選択肢の中から、文字オブジェクト「文字」の濃度がベクトルオブジェクト「四角形」の背景色の濃度よりも濃くなるように、色の項目（色の濃淡の項目）が選択された場合である。
【００９９】
一方、図８（ｂ）に示す例は、図４に示したグレー濃度調整画面１６１における色の項目の選択肢の中から、ベクトルオブジェクト「四角形」の背景色の濃度が文字オブジェクト「文字」の濃度よりも濃くなるように、色の項目（色の濃淡の項目）が選択された場合である。
【０１００】
なお、上記実施の形態１では、係数算出部１３１が操作パネル部１６０からの角度情報（調整レベル値）および濃度情報（色の項目）を基に角度σおよび回転角度τを求めるようにしているが、操作パネル部１６０がユーザによって設定された角度情報（調整レベル値）および濃度情報（色の項目）を基に角度σおよび回転角度τを求め、これら求めた角度σおよび回転角度τを係数算出部１３１へ出力するようにしてもよい。
【０１０１】
この場合、係数算出部１３１では、角度情報取得部１３１ａは角度情報としての角度σを取得し、また、濃度情報取得部１３１ｂは濃度情報としての回転角度τを取得することになる。
【０１０２】
次に、画像処理装置１００を有する画像形成装置を含む画像形成システムの構成について、図９を参照して説明する。
【０１０３】
画像形成システム１は、図９に示すように、プリンタなどの画像形成装置１０とコンピュータなどのクライアント装置（処理装置）２０とが通信回線３０を介して接続される。
【０１０４】
クライアント装置（コンピュータ）２０は、処理装置として機能するものであり、ＣＰＵ（Central Processing Unit：中央演算処理装置）２１、ハードディスクなどの記憶装置２２、ＲＡＭ（Random Access Memory：随時書き込み読み出しメモリ）などのメモリ２３および通信インタフェース（以下「通信ＩＦ」という）２４を備えている。
【０１０５】
記憶装置２２は、文書の生成や印刷要求を発行するアプリケーションソフトウェア、プリンタドライバ、印刷データ（カラー画像データ）など各種のデータを記憶する。
【０１０６】
メモリ２３は、記憶装置２２から読み出されたプログラムやデータを記憶する。
【０１０７】
通信ＩＦ２４は、通信回線３０を介して、画像形成装置１０との間でデータの送受信を行うインタフェースである。
【０１０８】
入出力装置２５は、操作パネル部１６０と同様の機能を有しており、起動されたプリンタドライバから提供されるユーザインタフェース（図４の内容と同等の内容）に対して角度情報および濃淡情報を設定する。また、入出力装置２５は、プリンタドライバの起動指示、所望の印刷データの指定、印刷要求の指示などの指令を与える。
【０１０９】
ＣＰＵ２１は、クライアント装置２０全体を制御するものであり、例えば、記憶装置２２からメモリ２３へプリンタドライバを読み込んで実行する。これにより、印刷データが画像形成装置１０に向けて送信される。
【０１１０】
画像形成装置（プリンタ）１０は、ＣＰＵ１１、ハードディスクなどの記憶装置１２、ＲＡＭなどのメモリ１３、通信ＩＦ１４およびユーザインタデース（以下「ユーザＩＦ」という）を有する画像処理装置１００、プリンタ部１５０および操作パネル部１６０を備えている。これらの構成要素のうち操作パネル部１６０以外の構成要素は制御バス１６を介して互いに接続されている。
【０１１１】
記憶装置１２は、ソフトウェアである上述した画像処理プログラム（所定のプログラム）としての画像処理プログラム５０など、印刷処理を実施するのに必要な各種のプログラムやデータを記憶している。
【０１１２】
通信ＩＦ１４は、通信回線３０を介して、クライアント装置２０との間でデータの送受信を行うインタフェースであり、例えば、クライアント装置２０から送信された印刷データ（カラー画像データ）を受信する。
【０１１３】
メモリ１３は、記憶装置１２から読み出された画像処理プログラム５０、通信ＩＦ１４を介して受信された印刷データなどを記憶する。また、メモリ１３には少なくとも次の（ａ）〜（ｅ）の各記憶領域が割り当てられる。
【０１１４】
（ａ）角度情報取得部１３１ａが取得した角度情報を記憶する記憶領域。
【０１１５】
（ｂ）濃淡情報取得部１３１ｂが取得した濃淡情報を記憶する記憶領域。
【０１１６】
（ｃ）係数算出部１３１による係数の算出処理にかかわる処理過程の情報（σ、τ）および処理結果の情報（βｒ、βｇ、βｂ）を記憶する記憶領域。
【０１１７】
（ｄ）輝度変換部１２０による輝度変換処理にかかわる処理過程の情報および処理結果情報を記憶する記憶領域。
【０１１８】
（ｅ）スクリーン処理部１４０によるスクリーン処理にかかわる処理過程の情報および処理結果の情報を記憶する記憶領域。
【０１１９】
ユーザＩＦ１５は、操作パネル部１６０からの指令、各種の設定内容をＣＰＵ１１へ出力するとともに、ユーザに対し適用されるユーザインタフェースや表示情報を操作パネル部１６０へ出力する。
【０１２０】
ＣＰＵ１１は、画像形成装置１０全体を制御するものであり、例えば、記憶装置１２からメモリ１３へ画像処理プログラム５０を読み込んで実行することにより、カラー画像データを基に白黒画像の印刷データを生成して、プリンタ部１５０に向けて出力する。
【０１２１】
通信回線３０としては、ローカルエリアネットワーク（ＬＡＮ：Local
Area Network）や電話回線などの有線通信回線、無線ＬＡＮなどの無線通信回線、さらには、これらの通信回線を組み合わせたもの、などが挙げられる。
【０１２２】
（実施の形態２）
【０１２３】
図１０は、実施の形態２に係る画像処理装置の機能構成を示している。
【０１２４】
図１０に示す画像処理装置２００は、図１に示した実施の形態１の画像処理装置１００の機能構成において、輝度変換部１２０および係数求め部１３０を輝度変換部２１０および係数求め部２２０に変更した構成になっている。図１０において、図１に示した構成要素と同様の機能を果たす部分には同一の符号を付している。
【０１２５】
輝度変換部２１０は、文字部２２１、ベクトル部２１２およびイメージ部２１３を備えており、印刷データ（カラー画像データ）に含まれるオブジェクトの種類ごとに、オブジェクトにかかわる色情報を、所定の変換情報（上記数３参照）を基に輝度情報に変換する。
【０１２６】
文字部２１１は、文字オブジェクトにかかわる色情報を、所定の変換情報（上記数３参照）を基に輝度情報に変換する。
【０１２７】
ベクトル部２１２は、図形、線画などのベクトルオブジェクトにかかわる色情報を、上記所定の変換情報を基に輝度情報に変換する。
【０１２８】
イメージ部２１３は写真、ディジタル画像などのイメージオブジェクトにかかわる色情報を、上記所定の変換情報を基に輝度情報に変換する。
【０１２９】
係数求め部２２０は、角度情報取得部２２１ａおよび濃淡情報取得部２２１ｂを有する係数算出部２２１を備え、文字オブジェクト、ベクトルオブジェクト、イメージオブジェクトなどオブジェクトの種類ごとの角度情報および濃淡情報を取得するとともに、処理対象のオブジェクトの種類に対応して、赤成分の情報にかかわる係数βｒ、緑成分の情報にかかわる係数βｇおよび青成分の情報にかかわる係数βｂを算出する。
【０１３０】
係数算出部２２１において、角度情報取得部２２１ａおよび濃淡情報取得部２２１ｂは、それぞれオブジェクトの種類ごとに設定される角度情報および濃淡情報を取得する。
【０１３１】
係数算出部２２１は、
【０１３２】
ＲＧＢ色空間で表現されるカラー画像データ（印刷データ）に基づく画像が複数の構成要素を有しているときは、構成要素の種類ごとに、係数βｒ、係数βｇおよび係数βｂを算出する。
【０１３３】
すなわち、係数算出部２２１は、オブジェクトの種類ごとに、取得された角度情報および濃淡情報を基に角度σおよび回転角度τを求めるととともに当該求めた角度σおよび回転角度τを基に係数βｒ、係数βｇおよび係数βｂを算出する。これら求められた係数βｒ、係数βｇおよび係数βｂは、オブジェクトの種類を示す情報とともに輝度変換部２１０に向けて出力される。
【０１３４】
ここで、実施の形態２では、文字オブジェクトにかかわる係数βｒ、係数βｇおよび係数βｂを文字係数と定義し、文ベクトルオブジェクトにかかわる係数βｒ、係数βｇおよいｂ係数βｂをベクトル係数と定義し、イメージオブジェクトにかかわる係数βｒ、係数βｇおよび係数βｂをイメージ係数と定義する。
【０１３５】
実施の形態２に係る画像形成装置および画像形成システムは、それぞれ図３および図９に示した実施の形態１に係る画像形成装置および画像形成システムの場合と同様の機能構成あるいは構成になっている。
【０１３６】
実施の形態２では、操作パネル部１６０を操作して角度情報および濃淡情報を設定するに際し、図４に示したグレー濃度調整画面１６１と同様のユーザインタフェースを用いて、文字オブジェクトおよびベクトルオブジェクトの種類ごとに設定可能になっている。なお、イメージオブジェクトについては、デフォルト値としの角度σおよび回転角度τが適用されるようになっている。
【０１３７】
例えば、図４に示したグレー濃度調整画面１６１において、例えば「文字オブジェクトにかかわる濃度調整」および「ベクトルオブジェクトにかかわる濃度調整」の項目を追加する。
【０１３８】
そして、ユーザ（利用者）は、これら２つの項目のうち１つの項目をチェックし、その後、実施の形態１の場合と同様に角度情報および濃淡情報を設定し、さらに「ＯＫ」ボタンをクリックしてこの設定内容を確定させる。次に、他の１つの項目をチェックし、その後、上記同様の設定操作を行うようにする。
【０１３９】
オブジェクトの種類ごとの角度情報および濃淡情報の設定の他の例としては、操作パネル部１６０において、文字オブジェクトおよびベクトルオブジェクトのそれぞれに対するグレー濃度調整指示に対応して、図４に示したグレー濃度調整画面１６１が表示されるようにする。そして、ユーザは、オブジェクトの種類ごとに、実施の形態１の場合と同様に角度情報および濃淡情報を設定し、さらに「ＯＫ」ボタンをクリックしてこの設定内容を確定させる。
【０１４０】
次に、色の選択肢（色の濃淡情報）に対応する回転角度τと、調整レベルに対応する角度σと、文字係数、ベクトル係数およびイメージ係数との対応関係の一例を、次の表２に示す。
【表２】
2008252778.tif 000006
【０１４１】
上記表２の内容から明らかなように、文字係数にかかわる回転角度τとベクトル係数にかかわる回転角度τとは反対方向になっており、文字オブジェクトの輝度変換後の濃度とベクトルオブジェクトの輝度変換後の濃度とは、互いに最もかけ離れるように設定されている。
【０１４２】
また、イメージオブジェクトつまりイメージ係数にかかわる角度σおよび回転角度τはそれぞれデフォルト値としてσ＝０およびτ＝０が適用されるようになっている。このようにイメージ係数にかかわる角度σはσ＝０であるため、基準の変換情報（数１または数２参照）にかかわる係数αｒ、係数αｇおよび係数αｂと同様の値になる。
【０１４３】
なお、実施の形態１では、６つの色の項目の中の選択された項目を示す項目情報が与えられる濃淡情報取得部２２１ｂは、上記表２で示される６つの色の項目を示す項目情報に対応して、オブジェクトの種類毎つまり文字係数、ベクトル係数およびイメージ係数のそれぞれに対応する回転角度τを予め認識している。
【０１４４】
次に、画像処理装置２００の輝度変換処理について、図１１を参照して説明する。
【０１４５】
図１１は、その輝度変換処理の処理手順を示すフローチャートである。
【０１４６】
最初に、ユーザ（利用者）は、操作パネル部１６０を操作して、オブジェクトの種類ごとに、色の項目の選択肢の中から、所望の色の濃淡を指定すべく（濃淡情報を設定すべく）所望の項目を選択する（チェックを入れる）とともに、調整レベルの値を設定すべく（角度情報を設定すべく）バー１６２ａを所定の位置に移動させ、さらに「ＯＫ」ボタンをクリックしてこの設定内容を確定させる。
【０１４７】
画像処理装置２００では、データ取得部１１０がカラー画像データ（印刷データ）を取得し（ステップＳ２０１）、この取得したカラー画像データを輝度変換部２１０へ出力する。
【０１４８】
この処理と並行して、係数求め部２２０の係数算出部２２１では、角度情報取得部２２１ａは、オブジェクトの種類ごとに操作パネル部１３０からの調整レベル値情報つまり角度情報を取得するとともに、濃淡情報取得部２２１ｂは、オブジェクトの種類ごとに操作パネル部１６０からの項目情報つまり濃淡情報を取得する（ステップＳ２０２）。
【０１４９】
また、角度情報取得部２２１ａは取得した角度情報（調整レベルの値）を基に角度σを求めるとともに、濃淡情報取得部２２１ｂは取得した濃淡情報（色の項目情報）を基に回転角度τを求める。
【０１５０】
このようにしてオブジェクトの種類ごとに角度σおよび回転角度τが求められると、係数算出部２２１は、これらのオブジェクトの種類毎の角度σ（角度情報）および回転角度τ（濃淡情報）を基に、赤成分の色にかかわる係数βｒ、緑成分の色にかかわる係数βｇ、青成分の色にかかわる係数βｂを算出し（ステップＳ２０３）、これらのオブジェクトの種類毎の係数βｒ、係数βｇ、係数βｂを、オブジェクトの種類を示す情報とともに輝度変換部２１０に向けて出力する。
【０１５１】
すなわち、係数算出部２２１は、オブジェクトの種類毎に、角度σ（角度情報）および回転角度τ（濃淡情報）を基に算出した係数βｒ，係数βｇおよび係数βｂを算出し、これら文字係数、ベクトル係数およびイメージ係数を輝度変換部２１０に向けて出力する。なお、イメージオブジェクトについては、デフォルト値としてのσ＝０およびτ＝０を基に係数βｒ，係数βｇおよび係数βｂを求める（イメージ係数を求める）。この場合、イメージ係数は係数αｒ，係数αｇおよび係数αｂと同等になる。
【０１５２】
この場合、「文字係数」および「係数βｒ，係数βｇ、係数βｂ」が、また「ベクトル係数」および「係数βｒ，係数βｇ、係数βｂ」が、さらに「イメージ係数」および「係数βｒ，係数βｇ、係数βｂ」が、それぞれ輝度変換部２１０に向けて出力される。これにより輝度変換部２１０は、例えば「文字係数」および「係数βｒ，係数βｇ、係数βｂ」を受け付けたときは、この文字係数を認識することで、当該係数βｒ，係数βｇ、係数βｂは文字オブジェクトにかかわる係数（文字係数）であるということを認識する。
【０１５３】
ところで、係数求め部２２０からのオブジェクトの種類毎の係数を受け取った輝度変換部２１０では、処理対象のオブジェクトは文字オブジェクトであるか否かを判断する（ステップＳ２０４）。
【０１５４】
ステップＳ２０４において輝度変換部２１０が文字オブジェクトであると判断した場合、文字部２１１は、当該文字オブジェクトにかかわる色情報と、文字オブジェクトに関する係数βｒ、係数βｇおよび係数βｂとを基に、輝度変換処理（数３の変換式の演算）を実行する（ステップＳ２０５）。
【０１５５】
これに対し、ステップＳ２０４において文字オブジェクトではないと判断した輝度変換部２１０は、処理対象のオブジェクトはベクトルオブジェクトであるか否かを判断する（ステップＳ２０６）。
【０１５６】
ステップＳ２０６において輝度変換部２１０がベクトルオブジェクトであると判断した場合、ベクトル部２１２は、当該ベクトルオブジェクトにかかわる色情報と、ベクトルオブジェクトに関する係数βｒ、係数βｇおよび係数βｂとを基に、輝度変換処理（数３の変換式の演算）を実行する（ステップＳ２０７）。
【０１５７】
これに対し、ステップＳ２０６においてベクトルオブジェクトではないと判断した輝度変換部２１０は、処理対象のオブジェクトはイメージオブジェクトであると判断する。すると、イメージ部２１３は、当該イメージオブジェクトにかかわる色情報と、イメージオブジェクトに関する係数βｒ、係数βｇおよび係数βｂとを基に、輝度変換処理（数３の変換式の演算）を実行する（ステップＳ２０８）。このステップＳ２０８の処理での処理結果（輝度変換処理結果）は、上記数２の変換式つまり上記数１の変換式を演算した結果と同等になる。
【０１５８】
上述したようにして処理対処のオブジェクトに対する輝度変換処理を終了した輝度変換部２１０は、全てのオブジェクトに対する輝度変換処理を終了したか否かを判断し（ステップＳ２０９）、この判断した結果、まだ輝度変換処理すべきオブジェクトが存在する場合には上記ステップＳ２０４に戻り、一方、全てのオブジェクトについて輝度変換処理を終了した場合はこの処理を終了する。
【０１５９】
このようにしてカラー画像データ（印刷データ）に含まれる全てのオブジェクトに対する輝度変換処理が終了したときは、ベクトルオブジェクトの背景上に文字オブジェクトが存在する場合は、所定の変換情報を基に輝度変換が行われるので、背景にかかわるグレー色と文字にかかわるグレー色とが異なる濃度のグレー画像（白黒画像）に変換される。
【０１６０】
また、写真などのイメージオブジェクトについては、基準の変換情報を基に輝度変換が行われるので、原稿の雰囲気が損なわれることなく、グレースケール画像に変換される。
【０１６１】
なお、本願明細書において、画像処理プログラムを実行するコンピュータは、プリンタ、換言すれば画像処理装置(図９参照）の如く、ＣＰＵ、メモリおよび記憶装置で構成される。
【０１６２】
また、本願明細書において、画像処理装置の各機能を実現し、上記画像処理の処理手順を示すプログラムを含む所定のプログラムを記録媒体としてのハードディスク等の記憶装置に記録する実施の形態として説明したが、当該所定のプログラムを次のようにして提供することも可能である。
【０１６３】
すなわち、上記所定のプログラムをＲＯＭに格納しておき、ＣＰＵが、このプログラムをこのＲＯＭから主記憶装置へローディングして実行するようにしても良い。
【０１６４】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしても良い。この場合、その記録媒体に記録されたプログラムを画像処理装置がインストールした後、このプログラムをＣＰＵが実行するようにする。このプログラムのインストール先としては、ＲＡＭ等のメモリやハードディスクなどの記憶装置がある。そして、画像処理装置は、必要に応じてこの記憶装置に記憶したプログラムを主記憶装置にローディングして実行する。
【０１６５】
さらには、画像処理装置を通信回線（例えばインターネット）を介してサーバ装置あるいはホストコンピュータ等のコンピュータと接続するようにし、当該画像処理装置が、サーバ装置あるいはコンピュータから上記所定のプログラムをダウンロードした後、このプログラムを実行するようにしても良い。この場合、このプログラムのダウンロード先としては、ＲＡＭ等のメモリやハードディスクなどの記憶装置（記録媒体）がある。そして、当該画像処理装置が、必要に応じてこの記憶装置に記憶された上記プログラムを主記憶装置にローディングして実行するようにする。
【産業上の利用可能性】
【０１６６】
本発明は、モノクロ画像を印刷する印刷装置や、カラー画像を白黒（モノクロ）印刷モードで印刷する機能を有する印刷装置などの画像形成装置、あるいは少なくとも印刷機能を含む複数の画像形成処理機能を有する画像形成装置に対して印刷用の画像データを提供する画像処理装置、この画像処理装置を有する画像形成装置、この画像形成装置を有する画像形成システムに適用することができる。
【図面の簡単な説明】
【０１６７】
【図１】実施の形態１に係る画像処理装置の機能構成を示すブロック図である。
【図２】実施の形態１に係る同一輝度面の方向ベクトルを説明する図である。
【図３】実施の形態１に係る画像処理装置を有する画像形成装置の機能構成を示すブロック図である。
【図４】実施の形態１に係る操作パネル部の表示の一例を示す図である。
【図５】実施の形態１に係る画像処理装置による輝度変換処理の処理手順を示すフローチャートである。
【図６】実施の形態１に係る輝度変換を説明する図である。
【図７】実施の形態１に係る輝度変換を説明する図である。
【図８】実施の形態１に係るカラー画像データに基づき白黒印刷した結果を説明する図である。
【図９】実施の形態１に係る画像処理装置を有する画像形成装置を含む画像形成システムの構成を示すブロック図である。
【図１０】実施の形態２に係る画像処理装置の機能構成を示すブロック図である。
【図１１】実施の形態２に係る画像処理装置による輝度変換処理の処理手順を示すフローチャートである。
【図１２】従来の輝度変換を説明する図である。
【図１３】従来のカラー画像データに基づき白黒印刷した結果を示す図である。
【符号の説明】
【０１６８】
１  画像形成システム
１０  画像形成装置
２０  クライアント装置
３０  通信回線
５０  画像処理プログラム
１００，２００  画像処理装置
１０１  コントローラ
１１０  データ取得部
１２０  輝度変換部
１３０  係数求め部
１３１  係数算出部
１３１ａ  角度情報取得部
１３１ｂ  濃淡情報取得部
１４０  スクリーン処理部
１５０  プリンタ部
１６０  操作パネル部
【図１】
2008252778.tif 000007
【図２】
2008252778.tif 000008
【図３】
2008252778.tif 000009
【図４】
2008252778.tif 000010
【図５】
2008252778.tif 000011
【図９】
2008252778.tif 000012
【図１０】
2008252778.tif 000013
【図１１】
2008252778.tif 000014
【図６】
2008252778.tif 000015
【図７】
2008252778.tif 000016
【図８】
2008252778.tif 000017
【図１２】
2008252778.tif 000018
【図１３】
2008252778.tif 000019